Podtech/llm-jp-corpus-v4-ja_patent huggingface dataset:
(57)【要約】      （修正有）【課題】オイルフィルターが横方向や上方向に取り付けられていても、漏れ出たオイルが周囲を汚染したり作業者に付着することを防ぐオイルフィルター用オイル吸収パッドを提供する。【解決手段】オイルを含む液体を吸収し、伸縮性のある筒状の吸収材からなるオイルフィルター用オイル吸収パッドであって、筒状の吸収材Ｃを、エンジン本体Ａに取り付けられたオイルフィルターＢにかぶせることにより、エンジン本体ＡとオイルフィルターＢとの接合部付近に設置される。接合部付近に密着させることにより漏れ出たオイル等を吸収させる。【選択図】図１
0003199719.tif 000002
【実用新案登録請求の範囲】
【請求項１】
オイル等の液体を吸収する材質のものを用い、フィルターとエンジン等との接合部付近に設置出来る形態にしたもの。
【考案の詳細な説明】
【技術分野】
【０００１】  本考案は、自動車等のオイルフィルターの交換に関するものである。
【背景技術】
【０００２】  オイルフィルター本体が直接エンジンブロック等に取り付けられており、フィルター内部にあるオイルが交換時に接合部から漏れる。この事はフィルターが横方向や上方向に取り付けられている場合、特に顕著である。
【考案の概要】
【考案が解決しようとする課題】
【０００３】  オイルフィルターが横方向や上方向に取り付けられていても、漏れ出たオイルが周囲を汚染したり作業者に付着することを防ぐ事を目的とする。
【課題を解決するための手段】
【０００４】  上記目的を達成するために、本考案はフィルターの大きさに合わせた、オイル等を吸収する材質の物をフィルターに取り付け、接合部付近に密着させる。
【考案の効果】
【０００５】  フィルター交換時に本体との接合部より漏れ出たオイル等は、そこに設置された吸収剤に吸収され周囲を汚染したり作業者に付着することを防ぐ事が可能となる。
【図面の簡単な説明】
【０００６】
【図１】図１は吸収材をフィルターに取り付けた実施例の斜視図である。
【考案を実施するための形態】
【０００７】  以下、本考案の実施の形態を図に基づいて説明する。
【実施例】
【０００８】  図１は本考案の実施例の斜視図であって、例えばこの図のように伸縮性のある筒状の吸収材ＣをフィルターＢにかぶせ、本体Ａとの接合部付近に設置すれば交換時に漏れたオイル等を吸収材が吸収するため、オイル等が周囲を汚染したり作業者に付着することを防ぐ事が可能となる。
【産業上の利用可能性】
【０００９】  本考案は自動車等の交換式オイルフィルターを用いる産業で利用されるほか個人レベルでの車両のオイル交換時にも利用出来る。
【符号の説明】
【００１０】Ａ・・・エンジン等本体側である。
Ｂ・・・自動車等に用いられている一般的なオイルフィルターである。
Ｃ・・・本考案のオイル等を吸収する材質で作られた吸収パッドである。
【図１】
0003199719.tif 000003
【手続補正書】
【提出日】平成27年4月16日(2015.4.16)
【手続補正１】
【補正対象書類名】実用新案登録請求の範囲
【補正対象項目名】全文
【補正方法】変更
【補正の内容】
【実用新案登録請求の範囲】
【請求項１】
オイル等の液体を吸収する材質のもの、例えば吸水性のある布や紙、スポンジを用い、フィルターとエンジンとの接合部付近に設置出来る形態にしたことを特徴とするオイル吸収バッド。
【手続補正書】
【提出日】平成27年6月15日(2015.6.15)
【手続補正１】
【補正対象書類名】実用新案登録請求の範囲
【補正対象項目名】全文
【補正方法】変更
【補正の内容】
【実用新案登録請求の範囲】
【請求項１】
オイルを含む液体を吸収し、伸縮性のある筒状の吸収材からなるオイルフィルター用オイル吸収パッドであって、筒状の吸収材を、エンジン本体に取り付けられたオイルフィルターにかぶせることにより、エンジン本体とオイルフィルターとの接合部付近に設置されるオイルフィルター用オイル吸収パッド。
(57)【要約】      （修正有）【課題】耐候性を保ちつつ、黒色のフレキシブルコンテナバックとは外観が異なる土嚢用袋を提供する。【解決手段】土砂等を収納する本体部２を、帯状のフラットヤーンを経糸３及び緯糸４として形成した織布５で構成し、経糸３又は緯糸４の一方を構成するフラットヤーンを黒色に、他方を構成するフラットヤーンを緑色に着色する。【選択図】図２
0003199802.tif 000002
【実用新案登録請求の範囲】
【請求項１】
土砂等を収納する本体部を、帯状のフラットヤーンを経糸及び緯糸として形成した織布で構成し、
前記経糸又は緯糸の一方を構成するフラットヤーンを黒色に、他方を構成するフラットヤーンを緑色に着色したことを特徴とする土嚢用袋。
【考案の詳細な説明】
【技術分野】
【０００１】
本考案は、土嚢用袋に関するもので、より詳しくは、土木工事等の際に用いられ、土砂等を収納する土嚢用袋である。
【背景技術】
【０００２】
従来、土嚢用袋として、耐候性を向上させるために、帯状で黒色のフラットヤーンを経糸及び緯糸として形成した織布で構成したものが知られている。
【考案の概要】
【考案が解決しようとする課題】
【０００３】
近年、黒色のフレキシブルコンテナバックが、除染物質を収納する袋として使用されている。報道において、除染物質を収納した黒色のフレキシブルコンテナバックが映ることが多くなったことから、黒色の土嚢用袋には除染物質が収納されていると誤解を与えるおそれがあるようになった。
【０００４】
そのため、耐候性に優れているものの、除染物質が入っていると誤解される恐れがあるために、黒色の土嚢用袋の使用が敬遠されるようになっている。
【０００５】
そこで、本考案は、耐候性を保ちつつ、黒色のフレキシブルコンテナバックとは外観が異なる土嚢用袋を提供することを目的とするものである。
【課題を解決するための手段】
【０００６】
前記の課題を解決するために、請求項１記載の考案は、土砂等を収納する本体部を、帯状のフラットヤーンを経糸及び緯糸として形成した織布で構成し、
前記経糸又は緯糸の一方を構成するフラットヤーンを黒色に、他方を構成するフラットヤーンを緑色に着色したことを特徴とするものである。
【考案の効果】
【０００７】
本考案によれば、経糸又は緯糸の一方を構成するフラットヤーンを黒色に、他方を構成するフラットヤーンを緑色に着色したことにより、黒色のフレキシブルコンテナバックとは異なる外観とすることができるとともに、高い耐候性を有し、黒色のみのフラットヤーンで構成した土嚢用袋の代替品として使用できる。
【図面の簡単な説明】
【０００８】
【図１】本考案の実施例に係る土嚢用袋の斜視図。
【図２】図１の要部拡大図。
【考案を実施するための形態】
【０００９】
本考案を実施するための形態を図に基づいて説明する。
【００１０】
図１は、本考案の土嚢用袋１の斜視図を示し、土嚢用袋１は、土木工事等において、土砂等を収納して土嚢として用いるものである。
【００１１】
土砂等を収納する土嚢用袋１の本体部２は、図２に示すように、例えばポリエチレン、ポリプロピレン、ポリエステル及びナイロン等の熱可塑性合成樹脂からなる帯状のフラットヤーンを経糸３及び緯糸４とする平織りの織布５からなり、有底の円筒状に形成されている。なお、本体部２は円筒状以外にも任意の形状に形成することができる。
【００１２】
本体部２の投入側部は開口され、この開口部は図１に示すように、紐６等により封じることができるようになっている。
【００１３】
経糸３又は緯糸４を構成するフラットヤーンは、その一方を黒色に、他方を緑色で着色され、経糸３と緯糸４は互いに異なる色で着色されている。
【００１４】
本体部２の側部には、本体部を吊るための帯状の吊りベルト７が固設されている。
【００１５】
本発明の土嚢用袋１の本体部２は、黒色と緑色の２色のフラットヤーンを用いて構成したことにより、黒色のみのフラットヤーンで構成した従来のフレキシブルコンテナバックとは外観が異なり、除染物質が収納されているとの誤解が生じにくい。
【００１６】
また、黒色と緑色の２色で構成したことにより、高い耐候性を有し、黒色の土嚢用袋の代替品として使用できる。
【符号の説明】
【００１７】
１  土嚢用袋
２  本体部
３  経糸
４  緯糸
【図１】
0003199802.tif 000003
【図２】
0003199802.tif 000004
(57)【要約】      （修正有）【課題】台所が華やかで、作業するのが楽しくするおたま置きを提供する。【解決手段】陶器で作った、口を大きく開けた動物の顔型をした、おたま置き１であって、その口の部分２がおたまを置く構造である事を特徴とする。【選択図】図１
0003199869.tif 000002
【実用新案登録請求の範囲】
【請求項１】
陶器で作った、動物の顔型で口を大きく開けた、部分にお玉を置けるようにする。
【考案の詳細な説明】
【技術分野】
【０００１】本考案は、おたま置き、の動物の顔の構造に関するものである。
【背景技術】
【０００２】従来のおたま置きは、無味乾燥で、面白みが無いようにおもわれるので、台所が華やかに、楽しくなれるように。
【考案の概要】
【考案が解決しようとする課題】
【０００３】台所が華やかに、作業するのが、たのしくなるように。
【課題を解決するための手段】
【０００４】普通の丸いおたま置き、では無く動物の顔の形をした、口部分におたまを置いたり、口、上部分に引っかけ立てたりできる。
【考案の効果】
【０００５】台所が華やかに、作業するのが、楽しくなる。又小物入れや置き物としてもつかえる。
【図面の簡単な説明】
【０００６】
【図１】口を大きく開けた動物のおたま置き
【考案を実施するための形態】
【０００７】陶器で動物の顔を作りおたまを置く、口部分を大きく開けた形にした。
【実施例】
【０００８】以下、添付図面に従って実施例を説明します。１は陶器の動物の顔のおたま置き、２はおたまを置いたり，立置きする、口部分。
【符号の説明】
【０００９】１    おたま置きの動物の顔
２    おたま置きの動物の顔の口部分
【図１】
0003199869.tif 000003
【手続補正書】
【提出日】平成27年7月6日(2015.7.6)
【手続補正１】
【補正対象書類名】実用新案登録請求の範囲
【補正対象項目名】全文
【補正方法】変更
【補正の内容】
【実用新案登録請求の範囲】
【請求項１】
陶器で作った、口を大きく開けた動物の顔型をした、おたま置きであって、その口の部分がおたまを置く構造である事を特徴とするおたま置き。
【手続補正２】
【補正対象書類名】明細書
【補正対象項目名】全文
【補正方法】変更
【補正の内容】
【考案の詳細な説明】
【技術分野】
【０００１】本考案は、動物の顔をした構造のお玉置に関する物である。
【背景技術】
【０００２】従来のおたま置きは、無味乾燥で、面白みが無いようにおもわれるので、台所が華やかに、楽しくはなかった。 
【考案の概要】
【考案が解決しようとする課題】
【０００３】台所が華やかで、作業するのが、たのしくなるおたま置きを提供する。
【課題を解決するための手段】
【０００４】動物の顔の形をした、おたま置きであって、その口部分におたま置いたり、その口部分及びその上部分におたまを引っかけ立てたりできる構造のおたま置きを提供することにより達成する。
【考案の効果】
【０００５】台所が華やかに、作業するのが、楽しくなる。又小物入れや置き物としてもつかえる。
【図面の簡単な説明】
【０００６】
【図１】口を大きく開けた動物の顔の形をしたおたま置きの一例である。
【考案を実施するための形態】
【０００７】動物の顔の口部分を大きく開けた形であって、その口部分におたまを置けるようにした陶器のおたま置き。
【実施例】
【０００８】以下、添付、図１は動物の顔をした陶器のおたま置、図面に従って実施例を説明します、２はおたまを置いたり，立置きする、その口部分。
【符号の説明】
【０００９】１  動物の顔をした、おたま置き２  動物の顔をした、おたま置きの口部分
(57)【要約】      （修正有）【課題】洗濯物干しラックでも、一般住宅の室内で大量の洗濯物を乾燥しきれない事情があるとき、これに対処するために、多数のハンガーを掛けても安定しているハンガー掛け装置を提供する。【解決手段】洗濯物干しラックの棹に通して吊り下げるために、ハンガーを多数掛ける２枚の基板４、また、これらの基板４を端部６で支える逆Ｕ字型の角を有する２枚の支持板５から構築される。【選択図】図１
0003199885.tif 000002
【実用新案登録請求の範囲】
【請求項１】
洗濯物干しラックの棹に通して吊り下げるために、多数のハンガーを掛ける基板２枚、また、これらの基板を端部で支える逆Ｕ字型の角を有する支持板２枚からなる、ハンガー掛け装置。
【考案の詳細な説明】
【技術分野】
【０００１】  この考案は、一般住宅の室内用洗濯物干しラックの棹に複数のハンガーを掛ける装置である。
【背景技術】
【０００２】  一般住宅では、家族全員の洗濯物を室内の狭い場所で乾燥するために、いろいろな洗濯物干しラックが用いられている。例えば、出願人の「折り畳み式の洗濯物干しラック」に関する平成２７年４月２２日の実用新案登録出願（実願２０１５−２３４８）である。【０００３】  ところが、この洗濯物干しラックでも、日常生活の中で予期せぬ多量の洗濯物が出ると、これに対処することができない。そのために、従来、この洗濯物干しラックの棹に複数のハンガーを吊り下げることが多い。
【考案の開示】
【考案が解決しようとする課題】
【０００４】  この考案が解決しようする問題点は、次の通りである。【０００５】  一つは、家族全員の大量の洗濯物を室内の限られた場所で乾燥するために工夫された折り畳み式洗濯物干しラックでも、これに対処しきれないことがある。それは、このラックの棹に複数のハンガーを掛けることによって処理すればよい。【０００６】  二つは、洗濯物干しラックの棹にハンガーを掛けるとしても、それほど多数のハンガーを簡単に掛けられないし、また、それによって安定感を欠くことにもなる。そこで、多数のハンガーを簡単に掛けられて、しかも、安定した装置を必要とする。
【課題を解決するための手段】
【０００７】  この考案が解決する手段は、次の通りである。【０００８】  洗濯物干しラック（１）の棹（２）に通して吊り下げるために、多数のハンガーを掛ける基板（４）２枚、また、これらの基板（４）を端部（６）で支える逆Ｕ字型の角を有する支持板（５）２枚からなる、ハンガー掛け装置（３）である。
【考案を実施するための形態】
この考案の実施の形態は、次の通りである。
【０００９】  図１に示すように、多数のハンガーを掛けられる基板（４）２枚、また、これらの基板（４）を端部（６）で支える逆Ｕ字型の支持板（５）２枚からなるハンガー掛け装置（３）である。
【００１０】  図２の示すように、洗濯物干しラック（１）の物干し棹（２）に、基板（４）の隙間（７）を通して吊り下げられたハンガー掛け装置（３）である。
【考案の効果】
【００１１】  この考案の効果は、次の通りである。
【００１２】  室内用の洗濯物干しラック（１）の棹（２）にハンガー掛け装置（３）を吊るすと、多数のハンガーを簡単に掛けることができ、大量の洗濯物を乾燥することになるし、また、多数のハンガーを掛けても、洗濯物干しラック（１）に不安定を来たさない。
【図面の簡単な説明】
【００１３】
【図１】  この考案に係るハンガー掛け装置（３）を示す図面である。
【図２】  この考案に係るハンガー掛け装置（３）を洗濯物干しラック（１）の棹（２）に吊り下げた状態の図面である。
【符号の説明】
【００１４】  １  洗濯物干しラック
２  棹
３  ハンガー掛け装置
４  基板
５  支持板
６  端部
７  隙間
【実施例】
【００１５】  この考案の実施例は、次の通りである。【００１６】  この考案は、室内用の洗濯物干しラック（１）の棹（２）に吊り下げるハンガー掛け装置（３）である。【００１７】  先ず、ハンガー掛け装置（３）は、多数のハンガーを掛ける基板（４）２枚、また、これらの基板（４）を支える逆Ｕ字型の角を有する支持板（５）２枚から構成されている。これらは、アルミニュウム等の軽量金属を材料とする。【００１８】  支持板（５）は、２枚の板を二つに折り重ねて、逆Ｕ字型の角をフック（鉤）とする。支持板（５）２枚の端部（６）に基板（４）２枚を固定し、基板（４）を支えるものである。基板（４）は、細長い直線の板２枚であって、多数のハンガーを掛けることができる。【００１９】  次に、ハンガー掛け装置（３）は、洗濯物干しラック（１）を設置した後、ハンガー掛け装置（３）の基板（４）２枚の隙間（７）から洗濯物干し棹（２）を通して吊り下げる。ハンガーを掛ける基板（４）には多数のハンガーを掛けることができる。
【図１】
0003199885.tif 000003
【図２】
0003199885.tif 000004
(57)【要約】      （修正有）【課題】油圧モーターが常備され、そして穴堀建柱車の走行手段は、タイヤ走行であり、また、ケーシング埋設作業時は、アウトリガーを使用出来る、作業の安全、作業のスピード、機械の回送等において、効果的なケーシング使用穴堀建柱車を提供する。【解決手段】穴堀建柱車１を使用すれば油圧モーターが常備されており、油圧モーターの下端の四角シャフトを外し、油圧モーターの下端にアタッチメント４を設置、アタッチメントの着脱可能の係合装置により、ケーシング５の周面から直径方向に凸出した掻取り部材を備えてないケーシングを取付け、ケーシングの下端にアタッチメント６を設置、着脱可能の係合装置により先端具７を取付け、先端具を地中に差し込み、油圧モーターを回転駆動することにより、ケーシング、先端具が一体で回転駆動し、地中を掘削して、ドレーン材を埋設する。【選択図】図２
0003199884.tif 000002
【実用新案登録請求の範囲】
【請求項１】
穴堀建柱車（１）の油圧モーター（２）の下端の四角シャフト（３）を取外し、油圧モーター（２）の下端にケーシング取付アタッチメント（４）を設置、ケーシング（５）の周面から直径方向に凸出した掻取部材を備えてないケーシング（５）をケーシング取付けアタッチメント（４）内に着脱可能に係合する装置により取付け、ケーシング（５）の下端に設置されたアタッチメント（６）内に着脱可能に係合する装置により先端具（７）を取付けて、ドレーン材埋設工事に使用されているケーシング使用穴堀建柱車。
【考案の詳細な説明】
【技術分野】
【０００１】  本考案は建設機械の穴堀建柱車の油圧モーターの下端に取付けてある四角シャフトを取外し、油圧モーターの下端にケーシングを取付けることに関するものです。
【先行技術文献】
【０００２】
【特許文献１】  特開  ２０１３−０７０７１５号公報
【考案の開示】
【考案が解決しようとする課題】
【０００３】  穴堀建柱車でケーシングを使用して液状化対策のドレーン材を埋設しておりますが、ケーシングの周面から直径方向に凸出した掻取部材を備えてない、      中空円筒状のケーシングでもドレーン材埋設用に使用する事が出来ます。
【課題を解決しようとする手段】
【０００４】  本考案を図と共に説明すれば、図１の様に穴堀建柱車（１）には油圧モーター（２）の下端に四角シャフト（３）が設置されております。この四角シャフト（３）を取外し、図２の様に油圧モーター（２）の下端にケーシング取付けアタッチメント（４）を設置、ケーシング（５）の周面から直径方向に凸出した掻取り部材を備えてないケーシング（５）をケーシング取付けアタッチメント（４）内に着脱可能に係合する装置により取付け、ケーシング（５）の下端に設けられたアタッチメント（６）内に着脱可能に係合する先端具（７）を取付ける。
【０００５】  そして油圧モーター（２）を回転駆動させることにより、ケーシング（５）先端具（７）も１体に回転駆動されて、地中を掘削し、ドレーン材を埋設する装置である。
【０００６】そして地中を掘削する際、予め地中の障害物を除くため先行堀をしてから本考案のケーシング（５）を使用することにより芯ずれを解消することが出来る。
【考案の効果】
【０００７】穴堀建柱車を使用する理由として、穴堀建柱車には、油圧モーターが常備されていること。そして穴堀建柱車の走行手段は、タイヤ走行であること。そしてケーシング埋設作業時は、アウトリガーを使用出来ることです。この３点を常備、使用出来る事は、作業の安全、作業のスピード、機械の回送等において、外の機械に勝るものであります。
【産業上の利用可能性】
【０００８】本考案のケーシングは、ケーシングの周面から直径方向に凸出した掻取り部材を備えてないため、ケーシング製作における経費節約になる。
【図面の簡単な説明】
【０００９】
【図１】穴堀建柱車の油圧モーターの下端に設置されている四角シャフト。
【図２】穴堀建柱車の油圧モーターの下端に取付けたケーシング、先端具。
【符号の説明】
【００１０】１  穴堀建柱車
２  油圧モーター
３  四角シャフト
４  アタッチメント
５  ケーシング
６  アタッチメント
７  先端具
【図１】
0003199884.tif 000003
【図２】
0003199884.tif 000004
(57)【要約】      （修正有）【課題】従来のパッケージにおける書面掲載が制限される問題点を解決できるパンフパッケージを提供する。【解決手段】パッケージにパンフレット機能を持たせ、パッケージとパンフレットを一体化することで、パッケージに制限される書面をパンフレットで補うことができる。【選択図】図１
0003199888.tif 000002
【実用新案登録請求の範囲】
【請求項１】
本考案は、パッケージとパンフレットを一体化することを特徴とするパンフパッケージ。
【考案の詳細な説明】
【技術分野】
【０００１】本考案は、パッケージに関するものである。
【背景技術】
【０００２】一般的なパッケージは、書面掲載が制限されるという欠点があった。
【考案の開示】
【考案が解決しようとする課題】
【０００３】本考案は、パッケージとパンフレットを一体化することで上記の課題を解決しようとするものである。
【課題を解決するための手段】
【０００４】本考案は、パッケージに制限される書面をパンフレットで補うことができる。
【考案の効果】
【０００５】本考案のパンフレットの豊富な紙面を活用し、詳細な商品説明ができる。
【図面の簡単な説明】
【０００６】
【図１】本考案を三つ折りに閉じた平面図である。
【図２】本考案の三つ折りを開いた表面の平面図である。
【図３】本考案の三つ折りを開いた裏面の平面図である。
【図４】本考案を三つ折りに閉じた立面図である。
【考案を実施するための最良の形態】
【０００７】本考案は、三面以上の折込加工が施され、パッケージの開閉を容易にする為に紙面角の一部を湾曲にカットしている。材質は紙と合成樹脂である。上部にフック用の穴を設けパッケージの開閉と製品を固定する為のマジックテープを設けた最良の形態である。
【符号の説明】
【０００８】１  湾曲面カット
２  フック用の穴
３  パッケージ開閉にマジックテープ
４  製品包装を固定するマジックテープ
５  折り込加工線
【図１】
0003199888.tif 000003
【図２】
0003199888.tif 000004
【図３】
0003199888.tif 000005
【図４】
0003199888.tif 000006
(57)【要約】      （修正有）【課題】複数のカードを収納できる上、一枚ずつの出し入れがスムーズであり、収納しているカードの種類が一目でわかり易い薄型カード入れを提供する。【解決手段】カードの出し入れが容易となるよう、カードを入れるポケット２の二辺を開口部４とし、空いている二辺の交わる角を斜めにカット３した。カードを入れるポケットを、ずらして配置し、収納しているカードの種類が一目でわかるようにするとともに、薄型を実現した。財布に入れて使用できるよう、大きさや薄さに配慮した。【選択図】図１
0003199889.tif 000002
【実用新案登録請求の範囲】
【請求項１】
一枚のほぼ長方形のベースシート、及び複数の少しずつずれて配置されたほぼ長方形のポケットから成り、ポケットは二辺がベースシートに接合されており、残りの二辺は接合されていない開口部になっており、その接合されていない２辺の交わる角が斜めにカットされていることを特徴とする薄型カード入れ。
【考案の詳細な説明】
【技術分野】
【０００１】  複数枚のカードを、容易にかつ薄型に収納することができるカード入れに関するものである。
また、その寸法が配慮されることにより、長財布にセットすることができる。
【背景技術】
【０００２】  従来のカード入れは、カードを入れるポケットの開口部は一辺であるか、切れ込み式の口であり、カードの出し入れがしにくい構造のものであった。
従来のカード入れは、独立して持つものであり、財布の中にセットできるものではなかった。
カード入れごと、財布から脱着できるものもあるが、カードを重ねて収納するタイプのものであり、カードの種類が一目でわかるものではなかった。
【先行技術文献】
【特許文献】
【０００３】
【特許文献１】特許公開２０１３−６６６７４
【特許文献２】特許公開２００１−６１５２８
【特許文献３】特許公開２００１−１２８７２０
【特許文献４】特許公開２０００−４８１４３
【特許文献５】公開実用昭和５６−５７７
【考案の概要】
【考案が解決しようとする課題】
【０００４】  従来のカード入れは、カードを収納するポケットの開口部が一辺であったため、カードの出し入れがしにくかった。
カードの出し入れがしにくいため、ポケットを痛めることがあった。
従来のカード入れは、財布とは別に持つものであることが多かった。
財布に脱着できるものがあっても、カードを重ねて入れるものであったため、カードの種類が一目でわかるものではなかった。
【課題を解決するための手段】
【０００５】  カードを入れるポケット部分は、ほぼ長方形の、二辺が縫い付けまたは接着などにより、ベースシートに接合しているが、残りの二辺が開口部となっており、カードの出し入れをスムーズにしている。さらに、空いている２辺の交わる角を斜めにカットすることにより、より出し入れし易くしている。【０００６】  カードを入れるポケットは、ベースシートに少しずつずらして配置することにより、薄型を可能にしているとともに、カードの種類が一目瞭然でわかるようにしている。【０００７】  ベースシートにポケットが付いている構造になっている上、長財布の中にセットできるよう、大きさに配慮しているため、財布から一度に複数のカードの出し入れすることを可能にしている。
【考案の効果】
【０００８】  本カード入れは、複数のカードを収納できる上、一枚ずつの出し入れがスムーズであり、収納しているカードの種類が一目でわかり易い。【０００９】  カードの出し入れがスムーズになることにより、ポケットの部分が痛みにくくなっている。【００１０】  本カード入れは、ベースシートにポケットが付いている構造となっているので、数枚のカードを一度に移動可能。
【図面の簡単な説明】
【００１１】
【図１】本考案のカード入れの正面図である。
【図２】本考案のカード入れの側面図である。
【図３】本考案のカード入れの全体図で、使用例２である。
【考案を実施するための形態】
【００１２】長財布に入る大きさの、ほぼ長方形のベースシートに、それよりも小さい長方形のポケットを複数取り付けた構造である。
ポケットは、二辺はベースシートに縫い付けや接着等により接合しているが、残りの二辺は開口部となっている。
また、その開いている二辺の交わる角は斜めにカットされている。
ポケットは、少しずつずらして複数枚取り付けることにより、カードを収納した際にカードの一部が見える構造となっており、収納しているカードの種類が一目で見渡せる。
【実施例】
【００１３】以下、添付図面に従って実施例を説明する。
１はベースシートで、皮・合皮・ビニールやプラスチック等の樹脂・布・化学繊維などの素材で製作することが可能。
例えば、財布やバッグと同素材にしてセット使用をしたり、透明性のある樹脂やメッシュ素材で製作することにより、収納しているカードをより見やすくすることもできる。
また、ベースシートの素材を硬度のあるものにすると、複数のカードが収納された状態でも形を保ち、容易に一度に移動することが可能になる。
逆に、軟度のあるものにすると、折りたたんだり、カード未収納時には丸めることもできる。
２はポケットで、カードを収納する部分であり、１のベースシートと同様、色々な素材で製作することが可能。この２のポケットは、１のベースシートに５で指す二辺が接合されている。接合方法は、素材によって縫い付けであったり、接着剤によるものである。
２のポケットも、透明性のある素材やメッシュ素材で製作することにより、収納されたカードをより見やすくすることができる。
３の部分は、開口部であるポケットの二辺が交わる角で、斜めにカットされた形となっており、よりカードを入れやすくなっている。
この部分は、直線にカットするだけでなく、図３のように丸く弧を描くようにカットされていてもよい。
４の部分は接合された二辺である。
また、２のポケットは、複数が少しずつずれて接合されていることにより、収納されたカードの一部が見えるようになっており、枚数及び種類が一目瞭然となる。
またそのことで、全体の厚みを薄くすることを実現している。
【符号の説明】
【００１４】１  ベースシート
２  ポケット
３  斜めカットされた角
４  開口部の二辺
５  接合された二辺
【図１】
0003199889.tif 000003
【図２】
0003199889.tif 000004
【図３】
0003199889.tif 000005
(57)【要約】      （修正有）【課題】トルマリンによる液体燃料のクラスターを細分化する効果を増大させ、液体燃料中に浸して使用する液体燃料の改質具を提供する。【解決手段】トルマリン含有ペレット２を収容する容器１の形状をスパイラル形にすることによって、トルマリンが発生させる電位差が効率よく容器１全体に伝わり、トルマリンによる液体燃料５のクラスターを細分化する効果を著しく増大させることができる。【選択図】図２
0003199874.tif 000002
【実用新案登録請求の範囲】
【請求項１】
液体燃料中に浸して使用する液体燃料の改質具であって、トルマリンを含有するペレットを内部に収容したスパイラル形の容器を特徴とする液体燃料の改質具。
【請求項２】
請求項１記載の液体燃料の改質具において、容器の素材がステンレスであることを特徴とする液体燃料の改質具。
【請求項３】
請求項１記載の液体燃料の改質具において、さらに容器に取り付けるワイヤーを設けた液体燃料の改質具。
【考案の詳細な説明】
【技術分野】
【０００１】      本考案は、液体燃料中に浸して使用する液体燃料の改質具に関するものである。
【背景技術】
【０００２】      従来の液体燃料の改質具には、容器の形状が壁面に穴を多数設けたものがある（特許文献１参照）。
【先行技術文献】
【特許文献】
【０００３】
【特許文献１】  特許公開２００４−１４３３８２号公報
【考案の概要】
【考案が解決しようとする課題】
【０００４】      従来の液体燃料の改質具では、容器の形状が壁面に穴を多数設けたものであり、トルマリンによる液体燃料のクラスターを細分化する効果を十分に引き出すことができなかった。本考案は容器の形状をスパイラル形にすることによって、トルマリンによる液体燃料のクラスターを細分化する効果を増大させることを課題とする。
【課題を解決するための手段】
【０００５】      上記課題を解決するために、請求項１記載の液体燃料の改質具は、容器の形状をスパイラル形にする。この形状にすることによって、トルマリンが発生させる電位差が効率よく容器全体に伝わり、トルマリンによる液体燃料のクラスターを細分化する効果を著しく増大させることができる。【０００６】      上記課題を解決するために、請求項２記載の液体燃料の改質具は、容器の素材をステンレスとする。これによって、トルマリンが発生させる電位差が容器に伝わりやすくなり、トルマリンによる液体燃料のクラスターを細分化する効果をさらに増大させることができるとともに、容器の腐食を防ぐことができる。【０００７】      請求項３記載の液体燃料の改質具は、容器に取り付けるワイヤーを設けることによって、ワイヤーの一端を液体燃料タンク内に固定することができるので、液体燃料の改質具が液体燃料タンク内を移動しすぎることを防ぐとともに、液体燃料の改質具の取り外しを容易にすることができる。
【考案の効果】
【０００８】      本考案は次のような効果を奏する。
請求項１に記載されている考案は、容器の形状をスパイラル形にすることによって、トルマリンが発生させる電位差が効率よく容器全体に伝わり、トルマリンによる液体燃料のクラスターを細分化する効果を著しく増大させることができる。液体燃料のクラスターが細分化すれば、液体燃料が燃焼する際に酸素との結合が促進され、その結果、燃費が向上し、排気ガス中の有害化合物の発生が減少する。【０００９】      請求項２に記載されている考案は、容器の素材をステンレスにすることによって、トルマリンが発生させる電位差が電気の良導体である容器に伝わりやすくなり、トルマリンによる液体燃料のクラスターを細分化する効果をさらに増大させることができるとともに、ステンレス製であるから容器の腐食を防ぐことができる。【００１０】      請求項３に記載されている考案は、容器に取り付けるワイヤーを設けることによって、ワイヤーの一端を液体燃料タンク内に固定することができるので、液体燃料の改質具が液体燃料タンク内を移動しすぎることを防ぐとともに、液体燃料の改質具の取り外しを容易にすることができる。
【図面の簡単な説明】
【００１１】
【図１】      本考案の液体燃料の改質具の正面図である。
【図２】      本考案の液体燃料の改質具を液体燃料タンク内に設置した実施形態例を示す図である。
【考案を実施するための形態】
【００１２】      本考案は、図１に示されるように、トルマリン含有ペレット２を、ステンレス製のスパイラル形容器１の内部に多数収容する。スパイラル形容器１は、トルマリン含有ペレット２が容器内部に保たれる限度内でスパイラルの間隔をあけ、液体燃料がスパイラル形容器１の内外を自由に移動してトルマリン含有ペレット２と接触しやすくする。
一実施形態として図２に示されるように、スパイラル形容器１にワイヤー３を取り付け、ワイヤー３のもう一方の端を液体燃料タンク４に固定して、スパイラル形容器１全体が液体燃料５の中に浸るように設置する。
これらにより、トルマリン含有ペレット２が発生する電位差が電気の良導体であるステンレス製のスパイラル形容器１全体に伝わり、液体燃料５のクラスターを細分化する効果をいかんなく発揮させることができる。
【符号の説明】
【００１３】１  スパイラル形容器
２  トルマリン含有ペレット
３  ワイヤー
４  液体燃料タンク
５  液体燃料
【図１】
0003199874.tif 000003
【図２】
0003199874.tif 000004
(57)【要約】      （修正有）【課題】便座に座ったとき、便座のフタの裏側に付いた湿気が背中に付かない衛生的な便座のフタを提供する。【解決手段】上フタ部１と下フタ部２からなる便座のフタであり、取手部５を設けた上フタ部の裏側に軸受部３を設け、下フタ部の一方の端部に軸部４を設け、他方の端部が便座のフタ開閉機構に取り付けられ、上フタ部の軸受部と下フタ部の軸部を接続することにより、上フタ部と下フタ部が可動できるようにした。【選択図】図４
0003199877.tif 000002
【実用新案登録請求の範囲】
【請求項１】
取手部を設けた上フタ部に軸受部を設け、下フタ部に軸部を設けて可動するようにした便座のフタ。
【考案の詳細な説明】
【技術分野】
【０００１】  本考案は、便座のフタに関するものである。
【背景技術】
【０００２】  従来、便座のフタを開けて便座に座ったとき、フタの裏側が背中にきていた。
【考案の開示】
【考案が解決しようとする課題】
【０００３】  従来は次のような欠点があった。
従来、便座のフタの裏側は便器内の湿気が付いており、便座のフタを開けて便座に座ったとき、便座のフタの裏側が背中にきていたので、便座のフタの裏側に付いた湿気が背中に付くので衛生的ではなかった。
本考案は、上記の欠点を除くためになされたものである。
【課題を解決するための手段】
【０００４】  取手部を設けた上フタ部に軸受部を設け、下フタ部に軸部を設けて可動するようにした。
本考案は、以上のような構成により問題点を解決している。
【考案の効果】
【０００５】  取手部をつかんで上に持ち上げて便座のフタを開けると、上フタ部と下フタ部が山折り状に可動するので便座に座ったとき、フタの表側が背中にくるので便器内の湿気が付いたフタの裏側が背中にこないので、便器内の湿気が背中に付かないので衛生的である。
【考案を実施するための最良の形態】
【０００６】  以下、本考案の実施例について説明する。
取手部５を設けた上フタ部１に軸受部３を設け、下フタ部２に軸部４を設けて可動するようにする。
上フタ部１と下フタ部２で便座のフタを構成する。
上フタ部１と下フタ部２は軸受部３と軸部４により、山折り状に可動する。
軸受部３と軸部４は便座６の楕円形状の空間内８に収まっている。
取手部５は上フタ部１をつかみやすくするためのものである。
取手部５をつかんで上に持ち上げることで上フタ部１と下フタ部２が山折り状に可動して便座のフタが開く。
上フタ部１と下フタ部２は掃除がしやすいように軸受部３から軸部４を着脱自在にしてもよい。
形状、位置、素材をいろいろにすることにより、多種多様にすることができる。
【図面の簡単な説明】
【０００７】
【図１】  本考案の斜視図である。
【図２】  本考案の可動させている途中の斜視図である。
【図３】  本考案の可動させた斜視図である。
【図４】  本考案の可動させた背面からの斜視図である。
【図５】  本考案の底面側からの斜視図である。
【図６】  本考案の取手部の形状の違う斜視図である。
各図の各部において主要部以外は省略している。
各図の各部において波線以外の部分は省略している。
【符号の説明】
【０００８】  １    上フタ部
２    下フタ部
３    軸受部
４    軸部
５    取手部
６    便座
７    便器
８    楕円形状の空間内
【図１】
0003199877.tif 000003
【図２】
0003199877.tif 000004
【図３】
0003199877.tif 000005
【図４】
0003199877.tif 000006
【図５】
0003199877.tif 000007
【図６】
0003199877.tif 000008
【手続補正書】
【提出日】平成27年6月26日(2015.6.26)
【手続補正１】
【補正対象書類名】実用新案登録請求の範囲
【補正対象項目名】全文
【補正方法】変更
【補正の内容】
【実用新案登録請求の範囲】
【請求項１】
上フタ部と下フタ部からなる便座のフタで、取手部を設けた上フタ部の裏側に軸受部を設け、下フタ部の一方の端部に軸部を設け、他方の端部が便座のフタ開閉機構に取り付けられ、上フタ部の軸受部と下フタ部の軸部を接続することにより、上フタ部と下フタ部が可動できるようにした便座のフタ。
(57)【要約】      （修正有）【課題】動物にやさしく、簡単に薬（錠剤）をのませる器具を提供する。【解決手段】注射器１の先端部に針にかえて錠剤４を入れる筒３を取り付けた器具である。筒３は内径３ｍｍ〜５ｍｍ、外径は内径より０．１ｍｍ〜０．５ｍｍ太いものであり、長さは２ｃｍ〜１０ｃｍの範囲である。素材は樹脂製であり、フレキシブルなものが好ましい。注射器１側の内径は注射器１の注射針をつける部分にはめ込むため、それに合った内径とする。逆側は、動物の口にいれる部分であり、動物の口内や舌を傷つることがないように、角を丸くしている。【選択図】図２
0003199878.tif 000002
【実用新案登録請求の範囲】
【請求項１】
注射器の先端部に錠剤を入れるための筒と目的により針と変更ができる小型動物に錠剤を与える器具。
【請求項２】
注射器の針をつける部分に、針にかえて錠剤を入れるための筒を取り付けた小型動物に錠剤を与える器具。
【考案の詳細な説明】
【技術分野】
【０００１】
本考案は、イヌ、ネコ等の小型動物（小動物）、ペット動物に錠剤を与えるための器具に関するものである。
【背景技術】
【０００２】
イヌ、ネコ等の小型動物（小動物）、ペット動物に錠剤を口にいれることが困難であり、また、入れた後に吐き出されることが多く、飲み込ませることも困難である。このような状況を改善するいくつかの方法が提案されている。
例えば病気等で通常の食事が採れない猫や犬等の動物に流動食を与えたり、投薬を行う場合に、その動物の口から食道や胃の中にカテーテルチューブを挿入し、そのチューブを介して流動食や薬剤を与えている。しかし、上記のカテーテルチューブを、動物の口の中に挿入する際には、口を無理に開かせ、噛みつかれないように注意しながら挿入しなければならず、手間が掛かるだけでなく、往々にしてチューブが口から外れて餌や薬剤をこぼしたり、チューブを噛み切られる等のおそれがあった。
【０００３】
また、動物の口の前面に装着可能に構成したマスク本体に、該マスク本体を貫通するカテーテルチューブ挿通用の硬質の筒状部材を一体的に設けた考案も開示されている。これは、動物の顔の前面を多くマスクを持つもので、いわば、動物に強制的に薬を飲ませるための器具であり、動物がかわいそうである。（実開平０６−１７７１４）
【先行技術文献】
【特許文献】
【０００４】
【特許文献１】実開平０６−１７７１４号公報
【考案の概要】
【考案が解決しようとする課題】
【０００５】
動物に薬を与える場合、時には噛まれることがある。また、吐き出されることもある。上記の技術は、これらの解決を目指すものではあるが、動物にやさしい、簡単な、薬（錠剤）をのませる器具（方法）とは言えない。手軽で、動物にやさしい方法、器具が求められている。
【課題を解決するための手段】
【０００６】
上記した課題を解決するための本考案は、
注射器の先端部に錠剤を入れるための筒と目的により針と変更ができる小型動物に錠剤を与える器具である。
また、注射器の針をつける部分に、針にかえて錠剤を入れるための筒を取り付けた小型動物に錠剤を与える器具である。
【考案の効果】
【０００７】
本考案の器具を用いることにより、これらの小動物に薬を与える時に噛まれる危険性が小さくなり、また、吐き出される可能性が低くなる。また、従来の方法（器具）に比較して、小さく、動物の顔（目）を見つつ、薬を飲ませることができる。
【図面の簡単な説明】
【０００８】
【図１】本考案を示した図である。（この図のものは、注射筒本体と薬入れが一体である。）
【図２】本考案の断面図、および使用状態を示した図である。（この図のものは、注射筒本体と薬入れが別である。）
【考案を実施するための形態】
【実施例】
【０００９】
図１に本考案の実施例を示す。注射筒本体１の前部に薬入れ３を設けている。薬入れ３は内径３ｍｍ〜５ｍｍ、外径は内径より、０．１ｍｍ〜０．５ｍｍ太いものであり、長さは２ｃｍ〜１０ｃｍの範囲である。素材は樹脂製である。
【００１０】
図２に薬入れ３が注射筒本体１とは別の部材からなる場合を示した。薬入れ３の注射器側の内径は注射器の注射針をつける部分にはめ込むため、それに合った内径とする。逆側は、動物の口にいれる部分であり、動物の口内や舌を傷つけることがないように、角を丸くする（面取り）ことが好ましい。薬入れ３の大きさは、内径３ｍｍ〜５ｍｍ、外径は内径より、０．１ｍｍ〜０．５ｍｍ太いものであり、長さは２ｃｍ〜１０ｃｍの範囲である。素材は樹脂製である。この場合はフレキシブルな素材を用いることと使用しやすい。
【００１１】
４は錠剤、５は水である。まず、注射筒本体１に、押し出し棒２を引いて水５を入れ、薬入れ３に錠剤４をいれる。その後、薬入れ３を動物の口６に入れて、押し出し棒２を一気に押すことにより、容易に安全に、水５とともに、錠剤４を動物の口６に入れて、飲み込ませることができる。この手順は図１に示した注射筒本体１と薬入れ３が一体のものの場合も同様である。
【符号の説明】
【００１２】
１    注射筒本体
２    押し出し棒
３    薬入れ
４    錠剤
５    水
６    動物の口
【図２】
0003199878.tif 000003
【図１】
0003199878.tif 000004
【手続補正書】
【提出日】平成27年7月9日(2015.7.9)
【手続補正１】
【補正対象書類名】実用新案登録請求の範囲
【補正対象項目名】請求項１
【補正方法】変更
【補正の内容】
【請求項１】
注射器の注射筒本体の先端部に,錠剤を入れるための筒を設けてなる小型動物に錠剤を与える器具。
(57)【要約】      （修正有）【課題】車椅子の足置き場となるフットレストの折りたたみは手作業で行われており介助人の負担の軽減、および衛生面も考慮して、車体の外側から足踏み操作の出来る介助用車椅子のペダル一体化フットレストを提供する。【解決手段】車椅子の足置き場となるフットレスト２とフットレスト２に一体的に取り付けられたペダル１を備え、車椅子から延伸するフットレスト固定フレームの内側にフットレスト２が取り付けられ、ペダル１はフレームの外側に位置し、ペダル１を足踏み操作出来る。これまで単体であったフットレスト２に、外側からの折りたたみ操作が出来るペダル１を一体化したフットレスト構造により作業の軽減、衛生面の保持等が形成される。【選択図】図１
0003199871.tif 000002
【実用新案登録請求の範囲】
【請求項１】
フットレスト本体にペダルを一体化した構造にし、そのペダル部をフレームの外側に設けることにより、介助人は足踏み操作で直にフットレストの折りたたみ作業が出来る。
【考案の詳細な説明】
【技術分野】
【０００１】  本考案は介助用車椅子の足もとを支えるフットレスト部分に、足踏みペダルを一体化した構造により、車体側面の外側から折りたたみ操作が出きる足踏みフットレストに関するものである。
【背景技術】
【０００２】  従来の介助人が押して移動する車椅子のフットレストは車体の下端部の左右フレーム内側に設けられているために介助人が介護者、障害者等の利用者を乗降させる際、車体の前方に周り折りたたみ操作を手作業で行うことが多かった。【０００３】  例えば、特許文献にあるように利用者の手元にハンドルを設け、旋回させながら開閉が出来る装置が提供されているが、フットレスト部を直に手で触れることが無くなり衛生的になるものの、ハンドルでの操作は手作業となり介助者に掛かる負担は免れ難い。
【先行技術文献】
【０００４】
【特許文献】
【特許文献】特開２００５−３１３４４４号公報
【考案の概要】
【考案が解決をしようとする課題】
【０００５】  車椅子の足置き場となるフットレストはフレ−ムの内側に設けられているので、介助人は利用者を乗降させるたびに、座り込んだり半屈みになったりの状態で折りたたみ操作を手作業で行っているため、介助人の体に掛かる負担が大きくなっている。
【０００６】  また、車椅子のフットレストは車椅子を利用される側の足もとが必ずしも衛生的な環境に置かれていないために、介助人が折りたたみ時の手作業に苦慮している。
【課題を解決するための手段】
【０００７】  従来のフットレスト本体にペダルを一体化した構造にし、そのペダル部をフレームの外側に設けることにより足踏み操作が介助人の足もとでフットレストの折りたたみ作業が直に出来る。
【考案の効果】
【０００８】  介助人は車体の外面側から立ち姿勢による足踏みでフットレストの折りたたみ操作が出来るので乗降時における手作業が省け、介助人の作業負担が軽減される。
【０００９】  フットレスの折りたたみ作業を介助人が足置き場に手を直かに触れることが無くなり、足踏みで操作することで、これまでの手作業に比べ介助人の作業が衛生的になる。
【００１０】ペダルを一体化したフットレストは、車体を構成しているフレームに差し込み固定されているフットレストの折りたたみ機構を現状のまま活用出来るので、従来通りに着脱交換が容易である。
【図面の簡単な説明】
【００１１】
【図１】本考案の一体化構造のフットレストの斜視図である。
【図２】本考案のフットレスト部位の斜視図である。
【考案を実施するための形態】
【００１２】  フットレスト部が足置き場として開かれているとき、ペダル部の上面を、フレームの下側まで足もと作業で踏み込むことによりフットレスト部を折りたたむことが出来る。
【００１３】  また、足置き場として開くときにはフレ−ムの下側に保持されているペダル部の下面側をすくい上げることにより利用者の足置き場として確保出来る。
【符号の説明】
【００１４】  １、１ａ  ペダル
２、２ａ  フットレスト
３、３ａ  フレーム
【図１】
0003199871.tif 000003
【図２】
0003199871.tif 000004
【手続補正書】
【提出日】平成27年6月16日(2015.6.16)
【手続補正１】
【補正対象書類名】実用新案登録請求の範囲
【補正対象項目名】全文
【補正方法】変更
【補正の内容】
【実用新案登録請求の範囲】
【請求項１】
車椅子の足置き場となるフットレスト本体と前記フットレスト本体に一体的に取り付けられたペダルを備え、
前記車椅子から延伸するフットレスト固定フレームの内側に前記フットレストが取り付けられ、
前記ペダルは前記フレームの外側に位置し、ペダルを足踏み操作出来ることを特徴とする介助用車椅子のペダル一体化フットレスト。